(57)【要約】【課題】グループコレートでは、１部の用紙の枚数が確定した後に、その枚数が後処理可能な枚数を超過しているか判定すると、後処理されない用紙が無駄に印刷されてしまう可能性があり、また印刷の開始が遅くなる。【解決手段】後処理装置を接続した画像形成装置であって、ジョブを実行する際に、印刷する部数を設定し、ジョブに含まれる印刷対象のページの同一のページの画像データを、設定された部数分、繰り返し印刷して出力した用紙束を、前記印刷対象のページの数分出力する第１モードを設定する。そして、そのジョブに対して、後処理装置による後処理と第１モードとが設定されている場合に、設定された部数が、後処理における用紙の制限枚数を超過しているかどうかを判定し、その設定された部数が後処理における用紙の制限枚数を超過していると判定すると、そのジョブの実行を制限する。【選択図】  図６
2017094601.tif 000002
【特許請求の範囲】
【請求項１】
後処理装置を接続した画像形成装置であって、
ジョブを実行する際に、印刷する部数を設定する第１設定手段と、
前記ジョブに含まれる印刷対象のページの同一のページの画像データを前記第１設定手段により設定された部数分、繰り返し印刷して出力した用紙束を、前記印刷対象のページの数分出力する第１モードを設定する第２設定手段と、
前記ジョブに対して、前記後処理装置による後処理と前記第１モードとが設定されている場合に、前記第１設定手段により設定された部数が、前記後処理における用紙の制限枚数を超過しているかどうかを判定する判定手段と、
前記判定手段が、前記設定された部数が前記後処理における用紙の制限枚数を超過していると判定すると、前記ジョブの実行を制限するように制御する制御手段と、
を有することを特徴とする画像形成装置。
【請求項２】
前記制御手段は、前記ジョブの実行を中止するように制御することを特徴とする請求項１に記載の画像形成装置。
【請求項３】
前記制御手段は、前記第１設定手段により設定された前記部数が、前記後処理における用紙の制限枚数以下に設定して前記ジョブの実行を制御することを特徴とする請求項１に記載の画像形成装置。
【請求項４】
前記制御手段は、前記ジョブに設定された前記後処理を無効にして前記ジョブの実行を制御することを特徴とする請求項１に記載の画像形成装置。
【請求項５】
前記後処理は、用紙の種類に応じて制限枚数が異なり、前記判定手段は、前記ジョブで使用する用紙の種類に応じた前記後処理における用紙の制限枚数に基づいて、前記第１設定手段により設定された部数が前記後処理における用紙の制限枚数を超過しているかどうかを判定することを特徴とする請求項１乃至４のいずれか１項に記載の画像形成装置。
【請求項６】
前記ジョブに含まれる印刷対象のページの順に順次印刷し、前記設定手段により設定された部数分、出力する第２モードを設定する第３設定手段を更に有し、
前記制御手段は更に、前記第２モードが設定されているとき、前記印刷対象のページの数が前記後処理における用紙の制限枚数を超過していると判定すると前記ジョブの実行を制限するように制御することを特徴とする請求項１に記載の画像形成装置。
【請求項７】
後処理装置を接続した画像形成装置を制御する制御装置であって、
ジョブを実行する際に、印刷する部数を設定する第１設定手段と、
前記ジョブに含まれる印刷対象のページの同一のページの画像データを前記第１設定手段により設定された部数、繰り返し印刷して出力した用紙束を、前記印刷対象のページの数分出力する第１モードを設定する第２設定手段と、
前記後処理装置で実行できる後処理に対応する用紙の制限枚数を取得する取得手段と、
前記ジョブに対して、前記後処理装置による後処理と前記第１モードとが設定されている場合に、前記第１設定手段により設定された部数が、前記取得手段により取得した前記制限枚数を超過しているかどうかを判定する判定手段と、
前記判定手段が、前記設定された部数が前記後処理における用紙の制限枚数を超過していると判定すると、前記画像形成装置への前記ジョブの送信を制限する制御手段と、
を有することを特徴とする制御装置。
【請求項８】
前記制御手段は、前記ジョブの送信を中止するように制御することを特徴とする請求項７に記載の制御装置。
【請求項９】
前記制御手段は、前記第１設定手段により設定された前記部数を、前記後処理における用紙の制限枚数以下に設定して前記ジョブを送信することを特徴とする請求項７に記載の制御装置。
【請求項１０】
前記制御手段は、前記ジョブに設定された前記後処理を無効にして前記ジョブを送信することを特徴とする請求項７に記載の制御装置。
【請求項１１】
前記後処理は、用紙の種類に応じて制限枚数が異なり、前記判定手段は、前記ジョブで使用する用紙の種類に応じた前記後処理における用紙の制限枚数に基づいて、前記第１設定手段により設定された部数が前記後処理における用紙の制限枚数を超過しているかどうかを判定することを特徴とする請求項７乃至１０のいずれか１項に記載の制御装置。
【請求項１２】
後処理装置を接続した画像形成装置を制御する制御方法であって、
第１設定手段が、ジョブを実行する際に、印刷する部数を設定する第１設定工程と、
第２設定手段が、前記ジョブに含まれる印刷対象のページの同一のページの画像データを前記第１設定工程で設定された部数分、繰り返し印刷して出力した用紙束を、前記印刷対象のページの数分出力する第１モードを設定する第２設定工程と、
判定手段が、前記ジョブに対して、前記後処理装置による後処理と前記第１モードとが設定されている場合に、前記第１設定工程で設定された部数が、前記後処理における用紙の制限枚数を超過しているかどうかを判定する判定工程と、
制御手段が、前記判定工程が、前記設定された部数が前記後処理における用紙の制限枚数を超過していると判定すると、前記ジョブの実行を制限するように制御する制御工程と、
を有することを特徴とする画像形成装置の制御方法。
【請求項１３】
後処理装置を接続した画像形成装置を制御する制御装置を制御する制御方法であって、
第１設定手段が、ジョブを実行する際に、印刷する部数を設定する第１設定工程と、
第２設定手段が、前記ジョブに含まれる印刷対象のページの同一のページの画像データを前記第１設定工程で設定された部数、繰り返し印刷して出力した用紙束を、前記印刷対象のページの数分出力する第１モードを設定する第２設定工程と、
取得手段が、前記後処理装置で実行できる後処理に対応する用紙の制限枚数を取得する取得工程と、
判定手段が、前記ジョブに対して、前記後処理装置による後処理と前記第１モードとが設定されている場合に、前記第１設定工程で設定された部数が、前記取得工程で取得した前記制限枚数を超過しているかどうかを判定する判定工程と、
制御手段が、前記判定工程が、前記設定された部数が前記後処理における用紙の制限枚数を超過していると判定すると、前記画像形成装置への前記ジョブの送信を制限する制御工程と、
を有することを特徴とする制御装置の制御方法。
【請求項１４】
コンピュータを、請求項１乃至６のいずれか１項に記載の画像形成装置の各手段として機能させるためのプログラム。
【請求項１５】
コンピュータを、請求項７乃至１１のいずれか１項に記載の制御装置の各手段として機能させるためのプログラム。
【発明の詳細な説明】
【技術分野】
【０００１】
本発明は、画像形成装置、制御装置、及びその制御方法とプログラムに関するものである。
【背景技術】
【０００２】
一般的に、プリンタやデジタル複合機のような画像形成装置には、画像を印刷した複数枚の用紙をまとめて、例えば綴じや折りなどの後処理を行う後処理機能を有するものがある。この後処理機能を実行する際、まとめて後処理できる用紙の枚数に限度があるため、印刷された用紙の枚数が、その限度を超えた場合は後処理を実施しないか、或いは途中で印刷を中止する等の対策が取られていた（特許文献１参照）。
【先行技術文献】
【特許文献】
【０００３】
【特許文献１】特開２００５−１７６９２号公報
【発明の概要】
【発明が解決しようとする課題】
【０００４】
画像形成装置には、印刷したページの出力順を指定するソートモードと、前述した後処理を設定する後処理モードが設けられており、これらソートモードと後処理モードとを組み合わせて、印刷済の用紙に後処理を実行することができる。ページ順に順次印刷して出力するソートモード（以後、コレート）では、１部当たりの用紙の枚数は、例えばコピーの場合は原稿の枚数に対応するため、原稿の枚数が確定すると１部の用紙の枚数が後処理を実行できる制限枚数を超過するか否か判定できる。特許文献１には、後処理の対象となる用紙の枚数が確定した後、後処理可能な枚数を超過したと判定した場合の解決手法が提案されている。
【０００５】
これに対して同一のページを、指定された部数分繰り返して印刷するソートモード（以後、グループコレート）では、同一のページが、指定された部数が印刷される度に、その用紙束に対して後処理が実行される。即ち、グループコレートでは、１部当たりの用紙の枚数が確定しなくとも、指定された部数に基づいて、後処理の対象となる用紙の枚数が後処理可能な枚数を超過しているか判定できる。従って、特許文献１のように、１部の用紙の枚数が確定した後に、その枚数が後処理可能な枚数を超過しているか判定すると、後処理されない用紙が無駄に印刷されてしまう可能性があり、また印刷の開始が遅くなってしまうという課題がある。
【０００６】
本発明の目的は、上記従来技術の課題を解決することにある。
【０００７】
本発明の特徴は、グループコレートで後処理が指定されたジョブで、無駄な印刷済の用紙を出力しないようにする技術を提供することにある。
【課題を解決するための手段】
【０００８】
上記目的を達成するために本発明の一態様に係る画像形成装置は以下のような構成を備える。即ち、
後処理装置を接続した画像形成装置であって、
ジョブを実行する際に、印刷する部数を設定する第１設定手段と、
前記ジョブに含まれる印刷対象のページの同一のページの画像データを前記第１設定手段により設定された部数分、繰り返し印刷して出力した用紙束を、前記印刷対象のページの数分出力する第１モードを設定する第２設定手段と、
前記ジョブに対して、前記後処理装置による後処理と前記第１モードとが設定されている場合に、前記第１設定手段により設定された部数が、前記後処理における用紙の制限枚数を超過しているかどうかを判定する判定手段と、
前記判定手段が、前記設定された部数が前記後処理における用紙の制限枚数を超過していると判定すると、前記ジョブの実行を制限するように制御する制御手段と、を有することを特徴とする。
【発明の効果】
【０００９】
本発明によれば、グループコレートで後処理が指定されたジョブで、無駄な印刷済の用紙を出力しないようにできる。また、そのジョブで、後処理の対象として、後処理を実行できない用紙が出力されるのを防止できる。
【００１０】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１１】
添付図面は明細書に含まれ、その一部を構成し、本発明の実施形態を示し、その記述と共に本発明の原理を説明するために用いられる。
【図１】本発明の実施形態１に係る画像形成装置の各機構部の構成を示す断面図。
【図２】実施形態１に係る画像形成装置にオプションとして後処理装置を接続した構成例を示す図。
【図３】実施形態１に係る後処理装置を接続した画像形成装置を含むシステム構成の一例を示す図。
【図４】実施形態１に係る画像形成装置のＣＰＵにより実行される機能構成と外部ホスト装置のハードウェア構成を説明するブロック図。
【図５】実施形態１に係る画像形成装置の表示部に表示される画面の一例を示す図。
【図６】実施形態１に係る画像形成装置によるコピー処理を説明するフローチャート。
【図７】図６のＳ６０５でコピージョブを中止したときに、画像形成装置の表示部に表示される画面例を示す図。
【図８】実施形態１に係る外部ホスト装置のプリンタドライバが表示部に表示するプリントジョブの設定画面の一例を示す図。
【図９】実施形態１に係る外部ホスト装置が画像形成装置に印刷ジョブを送信するときの処理を説明するフローチャート。
【図１０】図９のＳ９０５で印刷ジョブの送信を中止したときに外部ホスト装置の表示部に表示される画面の一例を示す図。
【図１１】本発明の実施形態２に係る画像形成装置によるコピージョブ及び印刷ジョブの処理を説明するフローチャート。
【図１２】実施形態３に係る画像形成装置によるコピー処理を説明するフローチャート。
【図１３】図１２のＳ１２０５で部数を変更したときに画像形成装置の表示部に表示される画面の一例を示す図。
【図１４】実施形態３に係る外部ホスト装置が画像形成装置に印刷ジョブを送信する処理を説明するフローチャート。
【図１５】図１４のＳ１４０５で部数を変更したときに外部ホスト装置の表示部に表示される画面の一例を示す図。
【図１６】実施形態４に係る画像形成装置によるコピー処理を説明するフローチャート。
【図１７】実施形態４における、画像形成装置の表示部に表示されるコピージョブの設定画面の一例である。
【図１８】実施形態４に係る外部ホスト装置が画像形成装置に印刷ジョブを送信する処理を説明するフローチャート。
【図１９】図１８のＳ１８０５で部数を変更したときに外部ホスト装置の表示部に表示される画面の一例を示す図。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
［実施形態１］
図１は、本発明の実施形態１に係る画像形成装置の各機構部の構成を示す断面図である。
【００１４】
スキャナ部１００の原稿給送トレイ１０１に積載される原稿を読み取る場合、光学ユニット１０５を所定位置に固定してランプ１０４を点灯する。この状態で、原稿給送トレイ１０１上の原稿を１枚ずつ給送することで、光学ユニット１０５に対して原稿を相対的に移動させながら原稿を露光する。この時、センサ１１５によりトレイ１０１上に原稿が積載されていることを検知し、原稿給送トレイ１０１の原稿をピックアップローラ１１１を回転させて引き込む。その後、第一搬送ローラ１１２及び第二搬送ローラ１１３を介して原稿を搬送して光学ユニット１０５上を通過させて排出トレイ１０３に排出する。原稿の両面を読み取る場合は、光学ユニット１０５上を通過させた原稿を反転ローラ１１４によってスイッチバックさせることによって読み取り原稿面の表裏を反転させる。その後、再度、第二搬送ローラ１１３により、その反転された原稿を搬送して光学ユニット１０５上を通過させることで原稿の裏面を露光する。その後、更に、もう一度反転ローラ１１４によって、その原稿をスイッチバックさせて排出トレイ１０３に原稿を排出することにより、原稿の片面を読み取った時と同じように、最初に読み取った原稿面を下にして排出トレイ１０３に排出する。これに対してプラテンガラス１０２上に載置された原稿を読み取る場合、ランプ１０４を点灯し、そして光学ユニット１０５を、図の右方向に移動させて、原稿を露光走査する。
【００１５】
露光された原稿からの反射光は、ミラー１０６，１０７，１０８及びレンズ１０９を介してＣＣＤ（Ｃｈａｒｇｅ Ｃｏｕｐｌｅｄ Ｄｅｖｉｃｅｓ）イメージセンサ１１０へ導かれる。こうして、走査された原稿の画像は、ＣＣＤイメージセンサ１１０によって読み取られる。ＣＣＤイメージセンサ１１０から出力される画像データは、所定の処理が施された後、コントローラユニット３００（図３）へ送られる。
【００１６】
次にプリンタ部２００の構成とその動作を説明する。プリンタ部２００のレーザドライバ２２１は、レーザ発光部２０１を駆動するものであり、コントローラユニット３００から出力された画像データに応じたレーザ光をレーザ発光部２０１から発光させる。このレーザ光は感光ドラム２０２を照射し、感光ドラム２０２の表面にはレーザ光に応じた静電潜像が形成される。そして、この感光ドラム２０２に形成された静電潜像の部分に現像器２０３によって現像剤（トナー）が付着される。
【００１７】
またプリンタ部２００は、それぞれ引き出し上の形状をした給紙カセット２０４〜２０２０７、及び、機外に露出しているトレイ状の手差し給紙段２０８を備えている。手差し給紙段２０８を除き、ユーザは給紙カセットを引き出し、その給紙カセットに用紙を補給し、その給紙カセットを機内に収容することによって用紙の補給を行う。そして、レーザ光の照射開始と同期したタイミングで、給紙カセット２０４〜２０７及び手差し給紙段２０８のいずれかから用紙を給紙し、その用紙を搬送路２１０を介して搬送する。こうして搬送された用紙は、転写ローラ２０９と感光ドラム２０２とに挟持され、感光ドラム２０２に付着していた現像剤が用紙に転写される。こうして現像剤が載った用紙は搬送ベルト２１１によって定着部２１２に搬送され、定着部２１２の熱と圧力により現像剤が用紙に定着される。こうして定着部２１２を通過した用紙は搬送路２１３，２１４を通って排紙トレイ２２０に排出される。また印刷面を反転して排紙トレイ２２０に排出する場合は、定着部２１２を通過した用紙は、搬送路２１５を通ってローラ２１６まで導かれる。その後、ローラ２１６の回転を逆転させて用紙を搬送路２１７の方向に搬送し搬送路２１４を通過して排紙トレイ２２０に排出する。また両面印刷が設定されている場合は、定着部２１２を通過した第１面に画像が形成された用紙は、搬送路２１５からフラッパ２１８によって搬送路２２０に導かれる。その後、その用紙は逆方向に搬送され、フラッパ２１８によってローラ２１６、再給紙搬送路２１９へ導かれる。再給紙搬送路２１９へ導かれた用紙は、上述したタイミングで搬送路２１０を通り、転写ローラ２０９により、その第２面に画像が転写される。こうして第２面に現像剤が載った用紙は、再び定着部２１２を通過し、搬送路２１４を通って排出トレイ２２０へ排出されて積載される。
【００１８】
図２は、実施形態１に係る画像形成装置にオプションとして後処理装置を接続した構成例を示す図である。
【００１９】
図２において、スキャナ部１００及びプリンタ部２００は図１と同じであり、ここでは排出ビン２２０を取り除いて、後処理装置３０１が接続されている。ここでは画像形成装置の搬送路２１４から後処理装置３０１に対して印刷済の用紙が排出される。そして後処理装置３０１は、その排出された複数枚の用紙を積載し、その用紙束に対して、画像形成装置から指定された後処理の設定に従って、例えば綴じや、折りなどの後処理を施す。
【００２０】
図３は、実施形態１に係る後処理装置を接続した画像形成装置を含むシステム構成の一例を示す図である。
【００２１】
このシステムは、上述した画像形成装置と外部ホスト装置３８０とがインターネット或いはイントラネットであるＬＡＮ／ＷＡＮ（Ｌｏｃａｌ Ａｒｅａ Ｎｅｔｗｏｒｋ／Ｗｉｄｅ Ａｒｅａ Ｎｅｔｗｏｒｋ）３７０を介して接続されている。外部ホスト装置３８０は、例えばパーソナルコンピュータやワークステーションであり、画像形成装置に対して印刷ジョブの投入や画像形成装置から装置情報の取得を行う。
【００２２】
画像形成装置は、コントローラユニット（制御部）３１０、表示部３２０、操作部３３０、スキャナ部１００、プリンタ部２００、後処理装置３０１を有している。表示部３２０は、ＬＥＤ（Ｌｉｇｈｔ Ｅｍｉｔｔｉｎｇ Ｄｉｏｄｅ）や表示パネルを備え、オペレータの操作内容や装置の内部状態を表示する。操作部３３０は、オペレータの操作を受け付ける。操作部３３０は、複数の操作ボタンを備えるだけでなく表示部３２０と一体化されてタッチパネルとして機能しても良い。
【００２３】
コントローラユニット３００は、ＣＰＵ３１０、ＡＳＩＣ３１１、ＲＯＭ３１２、ＲＡＭ３１３、ＨＤＤ３１４、デバイス制御Ｉ／Ｆ３１６、表示Ｉ／Ｆ３１７、操作Ｉ／Ｆ３１８、ネットワークＩ／Ｆ３１９を有している。ＣＰＵ３１０は、画像形成装置の動作を制御しており、各Ｉ／Ｆ、専用チップなどを介して、コントローラユニット３００に接続されるデバイスの動作を制御する。ＡＳＩＣ３１１は特定用途向けのＬＳＩであり、ＣＰＵ３１０とは別に画像処理などの特定の処理を担う。ＲＯＭ３１２は不揮発性メモリ、ＲＡＭ３１３は揮発性メモリ、ＨＤＤ（ハードディスクドライブ）３１４は磁気ディスク等の記憶媒体である。ＣＰＵ３１０は、ＲＯＭ３１２に記憶されているブートプログラムを実行してＨＤＤ３１４に格納されているＯＳや各種プログラムを読出してＲＡＭ３１３に展開し、その展開したプログラム実行することにより、画像形成装置の動作を制御している。またＲＡＭ３１３は、ＣＰＵ３１０がプログラムが実行する際のワークメモリを提供し、印刷ジョブや印刷対象の画像データ等を記憶する。またＨＤＤ３１４にも、印刷ジョブや印刷対象の画像データ等が記憶される。尚、ＣＰＵ３１０、ＡＳＩＣ３１１、ＲＯＭ３１２、ＲＡＭ３１３及びＨＤＤ３１４は、図３ではそれぞれ１つしか存在しないが、それぞれ複数で構成される場合もあり、それらの構成及び接続形態は本実施形態に限らない。
【００２４】
デバイス制御Ｉ／Ｆ３１６は、コントローラユニット３００に接続されるデバイス（プリンタ部２００、スキャナ部１００、後処理装置３０１）との入出力を制御し、デバイスの制御指示やデバイスの状態通知等の通信を行う。デバイス制御Ｉ／Ｆ３１６は複数デバイスが接続可能なバス構造として実現されるだけでなく、複数のＩ／Ｆに分割されて、接続されるデバイスと１対１でＩ／Ｆが備えられる場合もある。表示Ｉ／Ｆ３１７は、表示部３２０への出力を司る。操作Ｉ／Ｆ３１８は操作部３３０からの入力を司る。また画像形成装置は、外部Ｉ／ＦとしてネットワークＩ／Ｆ３１９を有している。画像形成装置は、ネットワークＩ／Ｆ３１９から通信媒体３７１を介してＬＡＮ／ＷＡＮ３７０に接続されており、ネットワークＩ／Ｆ３１９はネットワーク上の外部装置３８０との間のデータの送受信を司る。
【００２５】
図４は、実施形態１に係る画像形成装置のＣＰＵ３１０により実行される機能構成と外部ホスト装置３８０のハードウェア構成を説明するブロック図である。この画像形成装置の機能ブロック図で示す機能は、ＣＰＵ３１０がＨＤＤ３１４に記憶されているプログラムをＲＡＭ３１３に展開して実行することにより実現される。尚、図４で、図３と共通する部分は同じ番号で示し、それらの説明を省略する。
【００２６】
ここでは機能として、ジョブ制御部４００、画像処理部４０１、プリンタ制御部４０２、スキャナ制御部４０３、後処理部４０４、表示制御部４０７、オペレータ操作解釈部４０８、ネットワークプロトコル処理部４０９を含んでいる。表示制御部４０７は、ジョブ制御部４００から、ジョブや装置の状態などの情報を受け取り、その情報を表示部３２０の画面に反映させるためのコマンドを表示Ｉ／Ｆ３１７に送信する。オペレータ操作解釈部４０８は、ユーザが操作部３３０で行った操作を操作Ｉ／Ｆ３１８から受け取り、その操作に応じて、ジョブ制御部４００に対してジョブの開始、中断、再開、終了等の様々な指示を行う。ネットワークプロトコル処理部４０９は、ＴＣＰ／ＩＰを含む標準ネットワークプロトコルの処理を行うことで、ネットワークＩ／Ｆ３１９を介したネットワークとのデータ送受信を実現する。画像処理部４０１は、スキャナ部１００が原稿を読み取って得られた画像データを受け取り、また、画像データが外部ホスト装置３８０から受信したＰＤＬ（ページ記述言語）データの場合は、そのＰＤＬデータを展開して画像データを生成する。そして画像処理部４０１は、ＡＳＩＣ３１１に対するデータ送受信のタイミングやパラメータ設定を制御することで、画像の圧縮伸張や回転などの画像処理を行う。プリンタ制御部４０２は、デバイス制御Ｉ／Ｆ３１６を介して給紙コマンドなどの印刷制御命令をやりとりして、プリンタ部２００を制御し、画像データに基づいて用紙に画像を印刷する。後処理部４０４は、デバイス制御Ｉ／Ｆ３１６を介して、印刷された用紙に対して後処理装置３０１による後処理を行わせる。また後処理部４０４は、後処理装置３０１が有する後処理の能力（ステイプルの制限枚数や折りの制限枚数など）や状態を管理する。スキャナ制御部４０３は、デバイス制御Ｉ／Ｆ３１６を介してスキャナ部１００を制御する。ジョブ制御部４００は、操作Ｉ／Ｆ３１８やネットワークＩ／Ｆ３１９から受信したデータをジョブとして受け取り、それぞれのジョブの内容に応じて各デバイスの動作を統括して制御してジョブを実行する。例えば、コピージョブでは、スキャナ制御部４０３、画像処理部４０１、プリンタ制御部４０２を制御してコピー動作を実現するとともに、表示制御部４０７によりジョブの実行状況等の表示を行わせる。
【００２７】
次に外部ホスト装置３８０のハードウェア構成を説明する。この構成は一般的なパーソナルコンピュータ（ＰＣ）等の構成と同様であっても良い。
【００２８】
ＣＰＵ４４０は、ＲＯＭ４４１に記憶されているブートプログラムを実行して、ＨＤＤ４４３にインストールされているＯＳやプログラムなどをＲＡＭ４４２に展開し、それを実行することにより、この外部ホスト装置３８０の動作を制御する。操作部４４４は、キーボードやポインティングデバイス等を含み、ユーザの操作を受付ける。表示部４４５は、後述する設定画面やメッセージなどを表示して、ユーザとのインタフェースを司る。表示部４４５にタッチパネル機能を持たせることにより、操作部４４４と表示部とを一体化しても良い。
【００２９】
図５は、実施形態１に係る画像形成装置の表示部３２０に表示される画面の一例を示す図である。ここでは表示部３２０は、前述したようにタッチパネル機能を有しているものとする。
【００３０】
図５（Ａ）は、コピージョブの設定を行うためのトップ画面の一例を示し、表示領域５００は、コピーする部数を表示している。仕上げボタン５１０は、印刷済の用紙に対して後処理（仕上げ）を実行するように指示するボタンである。両面ボタン５２０は、両面印刷を指示するボタンである。図５（Ａ）では、仕上げボタン５１０が選択されて、印刷済の用紙に対して後処理（仕上げ）が指示され、かつ部数が「５５５」に設定されている例を示している。
【００３１】
図５（Ｂ）は、図５（Ａ）でユーザが仕上げボタン５１０を押下したときに表示される画面例を示す。
【００３２】
ソートボタン５１１、グループボタン５１２、シフトボタン５１３、ステイプルボタン５１４、折りボタン５１５などを備える。ソートボタン５１１は、各ページを順次印刷した用紙の束を、指定された部数分、繰り返し印刷するソートモード（コレート）を設定するためのボタンである。従って、この場合は、各部の用紙は、１ページから最終ページまでの用紙で構成される。グループボタン５１２は、同一ページを、指定された部数分、繰り返し印刷した用紙束を、そのページ数分出力するソートモード（グループコレート）を設定するためのボタンである。従って、この場合は、各部の用紙の構成は、１ページのみ、２ページのみ、以下同様に、最終ページのみの用紙となる。また図５（Ｂ）では、グループボタン５１２とステイプルボタン５１４が押下されて、グループコレートと、ステイプルが指定されている例を示している。シフトボタン５１３は、用紙束を、部ごとにシフトして排紙することにより、部の区分けを行うように指示するボタンである。ステイプルボタン５１４は、用紙束を綴じる（ステイプルする）ように指示するボタンである。折りボタン５１５は、用紙に折り処理を行うように指示するボタンである。ＣＰＵ３１０は、図５（Ｂ）の画面でＯＫボタンが押下されると、これら画面を介して設定された部数、ソートモード、後処理の種類を示す情報をＲＡＭ３１３に保存する。そして、ユーザが操作部３３０のスタートキー（不図示）を押下してコピージョブの開始を指示すると、ＲＡＭ３１３に記憶されているその情報に従って、その指示されたコピージョブを実行する。尚、表示領域５３０は、後述するように、ユーザに対するメッセージを表示するエリアで、ユーザに各種状況を通知するのに使用される。
【００３３】
図６は、実施形態１に係る画像形成装置によるコピー処理を説明するフローチャートである。尚、この処理は、ＣＰＵ３１０がＲＡＭ３１３に展開したプログラムを実行することにより達成される。この処理は、ユーザが操作部３３０からコピージョブの開始を指示し、ＣＰＵ３１０がその指示を受け付けることにより開始される。
【００３４】
まずＳ６０１でＣＰＵ３１０は、ＲＡＭ３１３に記憶している前述の情報に基づいて、図５（Ａ）の画面で、後処理を指示する仕上げボタン５１０が選択されていたかどうか、即ち、後処理が設定されているかどうか判定する。尚、ここでの後処理は、複数の用紙から成る用紙束をまとめて後処理するものが対象で、印刷された用紙１枚ごとに行う後処理は対象としない。ここで後処理が設定されていると判定するとＳ６０２に進み、そうでないときはＳ６０６に進む。Ｓ６０２でＣＰＵ３１０は、プリンタ部２００を介して、後処理装置３０１に設定された、後処理における用紙の制限枚数を取得する。これは例えば後処理がステイプルの場合、ステイプルできる最大用紙枚数として、例えば１００枚が設定されているとその枚数を制限枚数として取得するものである。次にＳ６０３に進みＣＰＵ３１０は、ＲＡＭ３１３に記憶している上記情報に基づいて、図５（Ｂ）の画面で設定されたソートモードがグループコレートかどうか判定する。そうであればＳ６０４に進み、そうでないときはＳ６０６に進む。Ｓ６０４でＣＰＵ３１０は、ＲＡＭ３１３に記憶している上記情報に基づいて、図５（Ａ）の画面で設定された部数が、上述の制限枚数を超過しているか否か判定する。ここで超過していると判定するとＳ６０５に進みＣＰＵ３１０は、スキャン（原稿の読み取り）及びプリント（印刷）を開始することなく、このコピージョブの実行を中止して、この処理を終了する。
【００３５】
一方、Ｓ６０６でＣＰＵ３１０は、コピージョブの実行を開始し、スキャナ部１００を制御して原稿をスキャンさせ、その原稿の画像データを入力する。次にＳ６０７に進みＣＰＵ３１０は、Ｓ６０１と同様にして後処理が設定されているかどうか判定し、後処理が設定されていなければＳ６１１に進んで、プリンタ部２００によりその画像データに基づいて印刷を実行する。Ｓ６０７で後処理が設定されていると判定するとＳ６０８に進み、Ｓ６０３と同様に、設定されたソートモードがグループコレートかどうか判定する。ここでＣＰＵ３１０はグループコレートと判定するとＳ６１１に進む。Ｓ６０８でＣＰＵ３１０がートモードがグループコレートでないと判定するとＳ６０９に進み、後処理対象となる印刷済の用紙の枚数を＋１する。次にＳ６１０に進みＣＰＵ３１０は、Ｓ６０９で求めた用紙の枚数が、Ｓ６０２で取得した後処理可能な制限枚数を超過しているかどうか判定する。ここで制限枚数を超過していると判定するとＳ６０５に進みＣＰＵ３１０は、このコピージョブの実行を中止して、この処理を終了する。
【００３６】
一方、Ｓ６０７で後処理が設定されていない、或いはＳ６０８でグループコレートが設定されている、又は、Ｓ６１０で、印刷した用紙の枚数が制限枚数を超過していないと判定した場合はＳ６１１に進んで、その用紙の印刷を行う。そしてＳ６１２に進みＣＰＵ３１０は、全ての原稿の読み取り（スキャン）が完了したかどうか判定し、完了していないときはＳ６０６に戻って前述の処理を繰り返す。こうして全ての原稿のスキャンが完了すると、この処理を終了する。尚、Ｓ６０５で、コピージョブの実行を中止するのではなく、設定された後処理を行わないで、コピージョブを実行するようにしてもよい。
【００３７】
図７は、図６のＳ６０５でコピージョブを中止したときに画像形成装置の表示部３２０に表示される画面例を示す図である。図７において、前述の図５と共通する部分は同じ参照番号で示している。
【００３８】
前述したように、図５（Ｂ）でステイプルで、グループコレートが設定されている。そして図５（Ａ）で設定した部数「５５５」が、ステイプルの制限枚数（例えば１００枚）を超過しているために、ＣＰＵ３１０は、ジョブを中止した旨を表す警告メッセージ７００をポップアップで表示している。ここでユーザは、このメッセージを了解してＯＫボタンを押下すると、この警告メッセージ７００は消去される。
【００３９】
次に実施形態１に係る画像形成装置が、コピージョブでなく、外部ホスト装置３８０から印刷ジョブを受信して印刷及び後処理を実行する場合で説明する。
【００４０】
図８は、実施形態１に係る外部ホスト装置３８０のプリンタドライバが表示部４４５に表示するプリントジョブの設定画面の一例を示す図である。
【００４１】
この設定画面は、ソートモードと後処理とを設定するための排紙方法ボックス８０１と部数ボックス８０２とを含み、部数の設定範囲を示す表示領域８０３も備えている。図８では、グループコレートとステイプルが指定され、ステイプル可能な制限枚数を超過した部数（ここでは「５５５」）が設定されている例を示している。この画面でＯＫボタンが押下されると、この画面で設定された部数、排紙方法等がＲＡＭ４４２に保存される。
【００４２】
図９は、実施形態１に係る外部ホスト装置３８０が画像形成装置に印刷ジョブを送信するときの処理を説明するフローチャートである。この処理は、外部ホスト装置３８０のユーザが、図８の画面を介して印刷ジョブを設定し、操作部４４４を介して印刷ジョブの開始指示を行ったことにより開始される。尚、この処理は、ＣＰＵ４４０がＲＡＭ４４２に展開したプログラムを実行することにより実現される。
【００４３】
まずＳ９０１でＣＰＵ４４０は、ＲＡＭ４４２に保存されている情報を参照して、図８の画面で、後処理が設定されているかどうかを判定する。この場合の後処理は、複数の用紙からなる用紙束をまとめて後処理するものが対象であり、１枚の用紙ごとに後処理するものを対象としないことは、前述の図６のＳ６０２と同様である。ここで後処理が設定されていると判定した場合はＳ９０２に進み、そうでないときはＳ９０６に進む。Ｓ９０２でＣＰＵ４４０は、画像形成装置に設定されている後処理の制限枚数を、その画像形成装置からを取得する。次にＳ９０３に進みＣＰＵ４４０は、ＲＡＭ４４２に保存されている情報を参照して、図８の画面でグループコレートが設定されているかどうか判定し、グループコレートが設定されているときはＳ９０４に進み、そうでないときはＳ９０６に進む。Ｓ９０４でＣＰＵ４４０は、ＲＡＭ４４２に保存されている情報を参照して、図８の画面で設定された部数が、Ｓ９０３で取得した制限枚数を超過しているかどうか判定する。ここで超過していると判定するとＳ９０５に進みＣＰＵ４４０は、その印刷ジョブの送信を中止して、この処理を終了する。一方、Ｓ６０６でＣＰＵ４４０は、画像形成装置に対して印刷ジョブを送信して、この処理を終了する。
【００４４】
図１０は、図９のＳ９０５で印刷ジョブの送信を中止したときに外部ホスト装置３８０の表示部４４５に表示される画面の一例を示す図である。図１０において、前述の図８と共通する部分は同じ参照番号で示している。
【００４５】
ここでは、印刷ジョブの送信をしない旨を表す警告ダイアログ１０００をポップアップ表示している。
【００４６】
以上説明したように実施形態１によれば、グループコレートで後処理が指定されたジョブにおいて、無駄な印刷済の用紙を出力しないようにできる。また、そのジョブで、後処理の対象として、後処理を実行できない枚数の用紙束が出力されるのを防止できる。
【００４７】
また、コレートで後処理が指定されたジョブの場合も同様に、無駄な印刷済の用紙を出力しないようにできる。また、そのジョブで、後処理の対象として、後処理を実行できない枚数の用紙束が出力されるのを防止できる。
【００４８】
［実施形態２］
次に実施形態２として、コピージョブの場合に、用紙の種類に応じた制限枚数を考慮する例を説明する。尚、実施形態２に係る画像形成装置とそれを含むシステム構成は、前述の実施形態１の場合と同じであるため、その説明を省略する。
【００４９】
図１１は、本発明の実施形態２に係る画像形成装置によるコピージョブ及び印刷ジョブの処理を説明するフローチャートである。尚、この処理は、ＣＰＵ３１０がＲＡＭ３１３に展開したプログラムを実行することにより達成される。この処理は、ユーザが操作部３３０からコピージョブの開始を指示するか、或いは、外部ホスト装置３８０から印刷ジョブを受信することにより開始される。
【００５０】
まずＳ１１０１でＣＰＵ３１０は、コピージョブであればスキャナ部１００を制御して原稿の読み取りを開始し、印刷ジョブであればＰＤＬデータの展開を開始する。次にＳ１１０２に進みＣＰＵ３１０は、そのジョブに後処理が設定されているか判定する。ここで後処理が設定されていないと判定するとＳ１１０９に進み、得られた画像データに従って用紙に画像を印刷してＳ１１１０に進む。一方、Ｓ１１０２でＣＰＵ３１０が後処理が設定されていると判定するとＳ１１０３に進み、プリンタ部２００を介して、設定された後処理に対応する用紙の制限枚数を取得する。この時、Ｓ１１０１でスキャン、又はＰＤＬデータを展開して得られた画像データから、印刷時に使用する用紙の種類を決定し、その決定された種類の用紙での制限枚数を取得する。これにより、用紙のサイズやタイプにより後処理の制限枚数が異なる場合でも、正確に、その制限枚数を超過するかどうかを判定できる。次にＳ１１０４に進みＣＰＵ３１０は、そのジョブに設定されているソートモードがグループコレートかどうか判定する。ここでグループコレートが設定されていると判定するとＳ１１０５に進み、ＣＰＵ３１０は図６のＳ６０４と同様に、設定された部数が、後処理できる制限枚数を超過しているかどうかを判定する。ここで、設定された部数が、その制限枚数を超過していると判定するとＳ１１０８に進み、ＣＰＵ３１０はそのジョブの実行を中止して、この処理を終了する。一方、Ｓ１１０５でＣＰＵ３１０が、設定された部数が、後処理できる制限枚数を超過していないと判定するとＳ１１０９に進んで、そのジョブに従って印刷を実行する。尚、Ｓ１１０８で、ジョブの実行を中止するのではなく、設定された後処理を行わずに、そのジョブを実行するようにしてもよい。
【００５１】
一方、Ｓ１１０４でＣＰＵ３１０が、コレートが設定されていると判定するとＳ１１０６に進み、図６のＳ６０９と同様に、プリントした用紙の枚数を＋１し、Ｓ１１０７でその枚数が制限枚数を超過しているか判定する。Ｓ１１０７でＣＰＵ３１０が、プリントした用紙の枚数が制限枚数を超過していると判定するとＳ１１０８に進んで、そのジョブの実行を中止して、この処理を終了する。一方、Ｓ１１０７でＣＰＵ３１０が、制限枚数を超過していないと判定するとＳ１１０９に進んで、そのジョブに従ってプリントを行う。そしてＳ１１１０に進みＣＰＵ３１０は、全ての原稿の読み取りが完了するか、或いはジョブが終了したかを判定し、そうでないときはＳ１１０１に進む。こうしてＳ１１１０でＣＰＵ３１０が、全ての原稿の読み取りが完了するか、或いはジョブが終了したと判定すると、この処理を終了する。
【００５２】
以上説明したように実施形態２によれば、印刷に使用する用紙の種類に応じて後処理の制限枚数が異なる場合でも、実施形態１と同様の効果を奏することができる。
【００５３】
［実施形態３］
次に本発明の実施形態３を説明する。この実施形態３では、ソートモードがグループコレートの場合に、設定したコピーの部数が、後処理可能な用紙の制限枚数を超えているときに、設定されている部数を制限枚数以下に修正する場合を説明する。尚、実施形態３に係る画像形成装置とそれを含むシステム構成は、前述の実施形態１に係る画像形成装置の場合と同じであるため、その説明を省略する。
【００５４】
図１２は、実施形態３に係る画像形成装置によるコピー処理を説明するフローチャートである。尚、この処理は、ＣＰＵ３１０がＲＡＭ３１３に展開したプログラムを実行することにより達成される。この処理は、ユーザが操作部３３０からコピージョブの開始を指示し、ＣＰＵ３１０がその指示を受け付けることにより開始される。
【００５５】
まずＳ１２０１でＣＰＵ３１０は、ＲＡＭ３１３の情報に基づいて、前述の図５（Ｂ）の画面で後処理が設定されているかどうかを判定する。ここで後処理が設定されていないと判定するとＳ１２０６に進みＣＰＵ３０１は、このコピージョブを実行してこの処理を終了するが、後処理が設定されていると判定するとＳ１２０２に進む。Ｓ１２０２でＣＰＵ３１０は、プリンタ部２００を介して後処理装置３０１から、その後処理を実行できる用紙の制限枚数を取得してＳ１２０３に進む。Ｓ１２０３でＣＰＵ３０１は、ＲＡＭ３１３の情報に基づいて、図５（Ｂ）の画面で設定されたソートモードがグループコレートかどうか判定する。ここでグループコレートが設定されていると判定するとＳ１２０４に進むが、そうでないときはＳ１２０６に進む。Ｓ１２０４でＣＰＵ３０１は、ＲＡＭ３１３の情報に基づいて、図５（Ａ）の画面で設定された部数が、Ｓ１２０２で取得した制限枚数を超過しているか否か判定し、超過していると判定するとＳ１２０５に進み、そうでないときはＳ１２０６に進む。Ｓ１２０５でＣＰＵ３０１は、設定されている部数を無効にして、コピーの部数を制限枚数以下になるように変更して、この処理を終了する。
【００５６】
これにより、後処理が設定されていて、グループコレートで複数の部数の印刷が指示されているとき、確実に、一つの部数の用紙の枚数を、後処理を実行できる制限枚数以下となるようにして印刷を実行できる。
【００５７】
図１３は、図１２のＳ１２０５で部数を変更したときに画像形成装置の表示部３２０に表示される画面の一例を示す図である。
【００５８】
図１３では、例えば図５（Ａ）の画面で、ステイプルの制限枚数（例えば「１００」）を超過した部数（５５５枚）が設定され、更に、図５（Ｂ）の画面を介して、グループコレートとステイプルが設定された場合を示している。この場合、ＣＰＵ３１０は、Ｓ１２０５で部数をステイプル可能な制限枚数（「１００」）に変更する。これにより部数の表示領域１３００には、変更後の部数である「１００」が表示されている。これと同時にＣＰＵ３１０は、部数を変更した旨をユーザに通知するためのメッセージ（ステイプル可能枚数を超過したため、部数が変更されました）を表示領域５３０に表示する。尚、このときＣＰＵ３１０は、この画面で、後処理可能な制限枚数よりも大きい値を部数として設定できないよう制御する。
【００５９】
図１４は、実施形態３に係る外部ホスト装置３８０が画像形成装置に印刷ジョブを送信する処理を説明するフローチャートである。この処理は、外部ホスト装置３８０のユーザが、図８の画面を介して印刷ジョブを設定し、操作部４４４を介して印刷ジョブの開始指示を行ったことにより開始される。尚、この処理は、ＣＰＵ４４０がＲＡＭ４４２に展開したプログラムを実行することにより実現される。
【００６０】
まずＳ１４０１でＣＰＵ４４０は、ＲＡＭ４４２に記憶した前述の情報を参照し、前述の図８の排紙方法ボックス８０１で後処理が設定されたかどうか判定する。ここで後処理が設定されていると判定するとＳ１４０２に進むが、そうでないときはＳ１４０６に進み、画像形成装置にプリントジョブを送信して、この処理を終了する。Ｓ１４０２でＣＰＵ４４０は、画像形成装置から、画像形成装置に設定された後処理の用紙の制限枚数を取得する。次にＳ１４０３に進みＣＰＵ４４０は、ＲＡＭ４４２に記憶した前述の情報を参照し、図８の排紙方法ボックス８０１で設定されたソートモードがグループコレートかどうか判定する。ここでグループコレートが設定されていると判定するとＳ１４０４に進み、そうでないときはＳ１４０６に進む。Ｓ１４０４でＣＰＵ４４０は、ＲＡＭ４４２に記憶した前述の情報を参照し、図８の部数ボックス８０２で設定された部数が、Ｓ１４０２で取得した制限枚数を超過しているかを判定する。ここで超過していると判定するとＳ１４０５に進み、そうでないときはＳ１４０６に進む。Ｓ１４０５でＣＰＵ４４０は、その部数を、制限枚数以下の値に変更してＳ１４０１に進む。
【００６１】
これにより、後処理が設定されていて、グループコレートで複数の部数の印刷が指示されているとき、確実に、一つの部数の用紙の枚数を、後処理を実行できる制限枚数以下となるようにした印刷ジョブを作成して画像形成装置に実行させることができる。
【００６２】
図１５は、図１４のＳ１４０５で部数を変更したときに外部ホスト装置３８０の表示部４４５に表示される画面の一例を示す図である。
【００６３】
図１５では、図８の出力部数ボックス８０２にてステイプル可能な枚数を超過した部数が設定され、更に排紙方法ボックス８０１で、グループコレートとステイプルが設定された例を示している。この場合、外部ホスト装置３８０は、部数を、ステイプル可能な制限枚数と同じ「１００」に変更し、出力部数ボックス８０２には、その変更された部数を表示している。これと同時に、外部ホスト装置３８０は、表示領域８０３に表示する部数の設定範囲を０〜１００に変更する。こうして外部ホスト装置３８０は、この設定された範囲よりも大きい値が部数ボックス８０２で設定できないようする。
【００６４】
以上説明したように実施形態３によれば、確実に、一つの部数の用紙の枚数を、後処理を実行できる制限枚数以下となるようにしたジョブを画像形成装置に実行させることができる。
【００６５】
［実施形態４］
次に本発明の実施形態４を説明する。この実施形態４では、ソートモードがグループコレートの場合に、設定したコピーの部数が、後処理可能な用紙の制限枚数を超えているときに、設定された後処理を無効にする場合で説明する。尚、実施形態４に係る画像形成装置とそれを含むシステム構成は、前述の実施形態１に係る画像形成装置の場合と同じであるため、その説明を省略する。
【００６６】
図１６は、実施形態４に係る画像形成装置によるコピー処理を説明するフローチャートである。尚、この処理は、ＣＰＵ３１０がＲＡＭ３１３に展開したプログラムを実行することにより達成される。この処理は、ユーザが操作部３３０からコピージョブの開始を指示し、ＣＰＵ３１０がその指示を受け付けることにより開始される。
【００６７】
図１６のＳ１６０１〜Ｓ１６０４及びＳ１６０６の処理は、前述の図１２のＳ１２０１〜Ｓ１２０４及びＳ１２０６と同じであるため、それらの処理の説明を省略する。ソートモードがグループコレートで、設定された部数が後処理の制限枚数を超えているときはＳ１６０５に進みＣＰＵ３１０は、設定されている後処理、例えば図５（Ｂ）の例ではステイプルを無効にしてこの処理を終了する。
【００６８】
図１７は、図１６のＳ１６０５で後処理を無効にしたときに表示部３２０に表示される画面の一例を示す図である。
【００６９】
図１７は、図５（Ｂ）の画面で、グループコレートとステイプルが設定され、更に、図５（Ａ）の画面で、ステイプル可能な制限枚数（例えば１００枚）を超過した部数が設定された場合を示している。この場合、ＣＰＵ３１０は、そのステイプルの設定を無効にする。従って、図１７では、ステイプルボタン５１４の表示は、図５（Ｂ）の選択された状態から非選択の状態に変更されている。これと同時に、ＣＰＵ３１０は、ステイプルを無効化した旨をユーザに通知するためのメッセージを表示領域５３０に表示する。尚、この際、ＣＰＵ３１０は、図１７の画面で後処理（ステイプル）を再度設定できないよう制御する。
【００７０】
図１８は、実施形態４に係る外部ホスト装置３８０が画像形成装置に印刷ジョブを送信する処理を説明するフローチャートである。この処理は、外部ホスト装置３８０のユーザが、図８の画面を介して印刷ジョブを設定し、操作部４４４を介して印刷ジョブの開始指示を行ったことにより開始される。尚、この処理は、ＣＰＵ４４０がＲＡＭ４４２に展開したプログラムを実行することにより実現される。
【００７１】
図１８のＳ１８０１〜Ｓ１８０４及びＳ１８０６は、図１４のＳ１４０１〜Ｓ１４０４及びＳ１４０６と同じであるため、それらの説明を省略する。ソートモードがグループコレートで、設定された部数が後処理の制限枚数を超えているときはＳ１８０５に進みＣＰＵ４４０は、設定されている後処理を無効にしてＳ１８０２に進む。
【００７２】
これにより、後処理が設定されていて、グループコレートで複数の部数の印刷が指示されているとき、その部数が、後処理を実行できる制限枚数を超えていると、その印刷ジョブの後処理を無効にして送信することができる。
【００７３】
図１９は、図１８のＳ１８０５で部数を変更したときに外部ホスト装置３８０の表示部４４５に表示される画面の一例を示す図である。
【００７４】
図１９では、図８の排紙方法ボックス８０１にてグループコレートとステイプルが設定され、更に、部数ボックス８０２に、ステイプル可能な用紙の枚数（ここでは１００枚）を超過した部数（５５５）が設定される例を示している。このとき外部ホスト装置３８０は、そのステイプル設定を無効にする。即ち、排紙方法ボックス８０１をグループコレートの設定のみに変更する。尚、このとき、外部ホスト装置３８０は、この画面で、再度、排紙方法ボックス８０１に、後処理（ステイプル）が設定できないよう制御する。
【００７５】
以上説明したように実施形態４によれば、後処理を実行できる制限枚数を超えた枚数の用紙束に対して、その後処理を実行するといった事態の発生を防止できる。
【００７６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７７】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００７８】
１００…スキャナ部、２００…プリンタ部、３０１…後処理装置、３１０…ＣＰＵ、３２０…表示部、３８０…外部ホスト装置、４４０…ＣＰＵ、４４５…表示部
【図１】
2017094601.tif 000003
【図２】
2017094601.tif 000004
【図３】
2017094601.tif 000005
【図４】
2017094601.tif 000006
【図５】
2017094601.tif 000007
【図６】
2017094601.tif 000008
【図７】
2017094601.tif 000009
【図８】
2017094601.tif 000010
【図９】
2017094601.tif 000011
【図１０】
2017094601.tif 000012
【図１１】
2017094601.tif 000013
【図１２】
2017094601.tif 000014
【図１３】
2017094601.tif 000015
【図１４】
2017094601.tif 000016
【図１５】
2017094601.tif 000017
【図１６】
2017094601.tif 000018
【図１７】
2017094601.tif 000019
【図１８】
2017094601.tif 000020
【図１９】
2017094601.tif 000021